(57)【要約】【課題】カメラを落下した場合であっても、コストアップを抑えたまま、光学性能やズーミング動作を保証することができるカメラを提供する。【解決手段】カムピンとカム溝とからなるカム機構を介してズーム動作を行なうズームレンズを備えたカメラにおいて、電動モータ４１８によりズームレンズを駆動しているにも拘わらずモータ回転検出センサ４２１からの上記電動モータ４１８の回転が所定時間検出されなかった場合に、その電動モータ４１８にさらに高い電圧を異常復帰駆動部４２２でフォーカス動作用ドライバ４０１ｃを経由して印加し、その電動モータ４１８を回転させてカムピンをカム溝に復帰させる。【選択図】        図７
2004198613.tif 000002
【特許請求の範囲】
【請求項１】
カムピンとカム溝とからなるカム機構を介してズーム動作を行なうズームレンズを備え、該ズームレンズを経由して入射してきた被写体像を捉えることにより撮影を行なうカメラにおいて、
前記ズームレンズを駆動するモータと、
前記モータの回転を検出するセンサと、
前記モータにより前記ズームレンズを駆動しているにも拘わらず前記センサからの前記モータの回転が所定時間検出されなかった場合に、該モータにさらに高い電圧を印加して該モータを回転させる異常復帰駆動部とを備えたものであることを特徴とするカメラ。
【請求項２】
前記異常復帰駆動部は、前記モータを、前記ズームレンズが広角側に駆動させる側に回転させるものであることを特徴とする請求項１記載のカメラ。
【発明の詳細な説明】
【０００１】
【発明の属する技術分野】
本発明は、カムピンとカム溝とからなるカム機構を介してズーム動作を行なうズームレンズを備え、そのズームレンズを経由して入射してきた被写体像を捉えることにより撮影を行なうカメラに関する。
【０００２】
【従来の技術】
従来より、ズームレンズを備えたカメラでは、ズームレンズを駆動するモータの回転をカム機構に伝達し、そのカム機構を構成するカムピンをカム溝に沿って移動させて、ズームレンズを支持するレンズ鏡胴を光軸方向に前後させることに、カメラ本体からレンズ鏡胴を繰り出したり沈胴したりする動作が行なわれる。ここで、ユーザの不注意によりレンズ鏡胴を繰り出したまま、カメラを落としてしまうことがある。カメラボディには落下しても壊れないような充分な強度を持たせてあったとしても落下の衝撃によりカムピンがカム溝から離脱して、カム筒の、カム溝が形成された部分以外の部分に乗り上げる場合がある。その場合、そのカメラの持つ光学性能やズーミング動作を確実に保証することは困難である。そこで、レンズ鏡胴の後端部に後方延設部を形成するとともにその後方延設部と干渉しないように後群ユニットに凹部を形成し、それら後方延設部および凹部で落下による衝撃力を吸収してカムピンがカム溝から離脱することを防止する技術が提案されている（例えば、特許文献１参照）。
【０００３】
【特許文献１】
特開平７−２７９６２号公報（段落番号００１３−段落番号０
０１４、第１図）
【０００４】
【発明が解決しようとする課題】
しかし、上述した特許文献１に提案された技術では、落下による衝撃力を吸収するにあたり、レンズ鏡胴の後端部に後方延設部を形成したり後群ユニットに凹部を形成する必要がある。従って、コストアップするという問題がある。
【０００５】
本発明は、上記事情に鑑み、カメラを落下した場合であっても、コストアップを抑えたまま、光学性能やズーミング動作を保証することができるカメラを提供することを目的とする。
【０００６】
【課題を解決するための手段】
上記目的を達成する本発明のカメラは、カムピンとカム溝とからなるカム機構を介してズーム動作を行なうズームレンズを備え、そのズームレンズを経由して入射してきた被写体像を捉えることにより撮影を行なうカメラにおいて、
上記ズームレンズを駆動するモータと、
上記モータの回転を検出するセンサと、
上記モータにより上記ズームレンズを駆動しているにも拘わらず上記センサからの上記モータの回転が所定時間検出されなかった場合に、そのモータにさらに高い電圧を印加してそのモータを回転させる異常復帰駆動部とを備えたものであることを特徴とする。
【０００７】
レンズ鏡胴を繰り出した状態でカメラを落下すると、カムピンがカム溝から離脱する場合がある。その場合、カムピンは、カム筒の、カム溝が形成された部分以外の部分に乗り上げる。このような状態では、ズームレンズを駆動するモータの回転が遅くなったりあるいはモータが回転しないというような現象が発生する。本発明は、この点に着目してなされたものである。
【０００８】
本発明のカメラは、カムピンがカム溝から離脱して、カム筒の、カム溝が形成された部分以外の部分に乗り上げた場合、ズームレンズを駆動するモータの回転が所定時間検出されなかったことが上記センサで検出されて異常復帰駆動部に伝達され、その異常復帰駆動部でそのモータにさらに高い電圧が印加される。これにより、カム筒が光軸のまわりに回転してカムピンがカム溝に復帰する。従って、カメラを落下させた場合であっても、コストアップを抑えたまま、光学性能やズーミング動作を保証することができる。
【０００９】
ここで、上記異常復帰駆動部は、上記モータを、上記ズームレンズが広角側に駆動させる側に回転させるものであることが好ましい。
【００１０】
レンズ鏡胴を繰り出した状態でカメラが落下すると、カム溝から離脱したカムピンは、そのカム溝の望遠側にある。そこで、モータを、ズームレンズが広角側に駆動させる側に回転させると、そのカム溝からカムピンを簡単に復帰させることができる。
【００１１】
【発明の実施の形態】
以下、本発明の実施形態について説明する。
【００１２】
図１は、本発明の一実施形態の、ズームレンズを搭載したカメラであって、そのズームレンズを支持するズーム鏡胴がカメラ本体に収納されている沈胴状態を示す斜視図、図２は、図１に示すカメラであって、ズーム鏡胴が最大限繰り出されている最大繰出し状態を示す斜視図である。
【００１３】
図１，図２に示すカメラ１０は、複数のレンズ群で構成されるズームレンズを備え、そのズームレンズによりズーム動作とともに焦点距離調節を行なわしめ、被写体の像を所定の結像面上に結像するカメラである。このカメラ１０の正面中央部には、ズームレンズを内部に備えたズーム鏡胴１１が備えられており、このズーム鏡胴１１には、本発明にいうズームレンズが組み込まれている。このカメラ１０の正面上部には、ストロボ発光窓１２、ファインダ対物窓１３、ＡＦ投光窓１４ａおよびＡＦ受光窓１４ｂ、およびＡＥ受光窓１５が配置されている。また、このカメラ１０の上面には、シャッタボタン１６が配置されている。さらに、このカメラ１０には、このカメラ１０全体の制御を行なうための内蔵電池４００（図７参照）が実装される。
【００１４】
また、このカメラ１０の、図示しない背面には、ズーム操作レバーが配置されており、このズーム操作レバーの一方を押すと、押し続けている間、ズーム鏡胴１１が図１に示す沈胴状態から図２に示す最大繰出し状態に向かって移動し、ズーム操作レバーの他方を押すと、押し続けている間、ズーム鏡胴１１が図２に示す最大繰出し状態から図１に示す沈胴状態に向かって移動する。
【００１５】
図３は、図１，図２に示すカメラのズーム鏡胴の分解斜視図である。
【００１６】
図３に示すズーム鏡胴１１には、カメラ本体に固定されてなる固定筒２０と、光軸のまわりに回転するカム筒２１と、そのカム筒２１に連結され、そのカム筒２１の回転に伴って光軸方向に直進移動するフォーカス筒２２と、光軸方向についてはフォーカス筒２２に係止されてそのフォーカス筒２２の光軸方向の移動に伴って移動し、回転方向についてはそのフォーカス筒２２に対し光軸のまわりに回転自在に回転する回転移動筒２３とが備えられている。
【００１７】
固定筒２０には、カム筒２１が嵌合された嵌合回動溝２０１と、光軸方向に延びる直進キー溝２０２が設けられている。
【００１８】
カム筒２１には、光軸方向に対して斜めにかつ直進キー溝２０２の一部に重なるようにカム溝２１３（本発明にいうカム溝の一例）が設けられている。また、カム筒２１には、被駆動ギア２１１が備えられている。この被駆動ギア２１１は、図示しない駆動機構を介して後述する電動モータ４１８（図７参照：本発明にいうモータの一例）により駆動され、複数のレンズ群相互間の距離を保ったままフォーカス動作を行なわさせるものである。
【００１９】
フォーカス筒２２には、そのフォーカス筒２２の外壁にカムピン２２１（本発明にいうカムピンの一例）が立設されている。このカムピン２２１は、直進キー溝２０２とカム溝２１３との重なり部分に挿通されている。このフォーカス筒２２は、回転移動筒２３を、カメラ本体に対し撮影不能な位置まで沈胴させるものである。
【００２０】
回転移動筒２３には、フォーカス筒２２に連結された回動連結部２３２と、被駆動ギア２３１が備えられている。被駆動ギア２３１は、図示しない駆動機構を介して後述する電動モータ４１９（図７参照）により駆動され、複数のレンズ群相互間の距離の変更を伴うズーム動作を行なわさせるものである。
【００２１】
図４は、図１に示すカメラの、ズーム動作が行なわれた状態を示す断面図である。
【００２２】
図４に示すズーム鏡胴１１には、回転移動筒２３にそれぞれ各カム機構を介して連結されその回転移動筒２３の回転に伴ってその回転移動筒２３に対し相対的に光軸方向に移動する、それぞれが前群レンズユニット２７１，後群レンズユニット３０１それぞれを保持する前群支持枠２７２，後群支持枠３０２が備えられている。
【００２３】
カム筒２１に設けられた被駆動ギア２１１が、図示しない駆動機構で駆動され、これによりカム筒２１が光軸を中心に回転する。このカム筒２１は、カメラ本体９に固定された固定筒２０の外周を取り巻くリング状の部材である。固定筒２０の嵌合回動溝２０１には、カム筒２１の回動連結部２１２が嵌合している。また、固定筒２０の直進キー溝２０２およびカム筒２１のカム溝２１３の双方に、フォーカス筒２２の外壁に立設されたカムピン２２１が挿通されており、このカムピン２２１は、カム筒２１の回転に伴ってカム溝２１３に応じて光軸方向にスライド自在に移動する。
【００２４】
フォーカス筒２２の前端部には、直進キーリング２４の端部が嵌合された嵌合回動溝２２３と、回転移動筒２３の回動連結部２３２が嵌合された嵌合回動溝２２２が設けられている。また、フォーカス筒２２の内壁には直進キー溝２２４が形成されており、直進キーリング２４に設けられた直進キー２４１が嵌入している。直進キーリング２４は、回転移動筒２３の内壁面に沿って筒状に形成されており、その部分には内壁面と外壁面とを貫いて光軸方向に直線的に延びるスリット状の直進キー溝２４３が形成されている。また、その直進キーリング２４のさらに内側には、前群レンズユニット２７１，シャッタユニット２８が前群ユニット２７の主支持体である直進移動筒２５に取り付けられている。この直進移動筒２５の外壁にはカムピン２５１が立設し、そのカムピン２５１は、回転移動筒２３の内壁面に形成されたカム溝２３３に係合している。さらに、後群ユニット３０の後群支持枠３０２の外壁にはカムピン３０３が立設し、そのカムピン３０３は、直進キーリング２４に設けられた直進キー溝２４３を突き抜けて、回転移動筒２３の内壁面に形成されたカム溝２３４に係合している。また、直進移動筒２５の前面には、レンズ銘板２９が取り付けられている。直進移動筒２５の、図４の上下には、前カバー３が示されている。
【００２５】
このように構成されたカメラ１０に電源が投入される。すると、図示しない駆動機構からの回転駆動力が被駆動ギア２１１を介してカム筒２１に伝えられ、そのカム筒２１が光軸を中心に回転する。さらに、フォーカス筒２２の、直進キー溝２０２とカム溝２１３との重なり部分に挿通されているカムピン２２１が、カム筒２１の回転に伴ってカム溝２１３に応じて光軸方向（図４では左方向）に直進移動する。このようにして、沈胴状態にあるズーム鏡胴１１の繰出しが行なわれる。
【００２６】
ここで、ズーム操作レバーがテレ側（望遠側）に操作される。すると、テレ側へのズーム動作（ズームアップ動作）が行なわれる。このズーム動作では、図示しない駆動機構からの回転駆動力が被駆動ギア２３１を介して回転移動筒２３に伝えられ、その回転移動筒２３が光軸を中心に回転する。すると、回転移動筒２３に備えられたカム溝２３３の所定の経路パターンに従ってカムピン２５１が、光軸方向（図４では左方向）に移動する。すると、直進移動筒２５が光軸方向に繰り出される。また、回転移動筒２３の内壁面に形成された、別の経路パターンを有するカム溝２３４には、カムピン３０３が係合されており、このため後群ユニット３０もその別の経路パターンに従って光軸方向に移動する。このようにして、ズーム鏡胴１１のズーム動作が行なわれる。
【００２７】
さらに、被駆動ギア２３１を介して回転移動筒２３が光軸を中心に回転すると、回転移動筒２３に備えられたカム溝２３３の所定の経路パターンに従ってカムピン２５１が、前述したと同じ光軸方向（図４では左方向）にさらに移動して、直進移動筒２５がさらに繰り出される。また、回転移動筒２３の内壁面に形成されたカム溝２３４の経路パターンに従って後群移動カムピン３０３もその光軸方向にさらに移動することにより、後群ユニット３０もその光軸方向にさらに移動する。このようにして、ズーム鏡胴１１のさらなるズーム動作が行なわれる。
【００２８】
一方、ズーム操作レバーがワイド側（広角側）に操作されると、ワイド側へのズーム動作（ズームダウン動作）が行なわれる。このズームダウン動作では、図示しない駆動機構からの、前述したとは逆方向の回転駆動力が被駆動ギア２３１を介して回転移動筒２３に伝えられ、その回転移動筒２３が光軸を中心に回転することにより、回転移動筒２３に備えられたカム溝２３３の経路パターンに従ってカムピン２５１が、ズームアップ動作の場合における光軸方向とは逆方向の光軸方向（図４では右方向）に移動する。すると、直進移動筒２５がその光軸方向に移動する。また、回転移動筒２３のカム溝２３４には、カムピン３０３が係合されているため、後群ユニット３０もそのカム溝２３４の経路パターンに従ってその光軸方向に移動する。このようにして、ズーム鏡胴１１を、初期の繰出し状態にまで移動することができる。
【００２９】
図５は、カムピンがカム溝に係合している正常な状態を示す図、図６は、落下によりカムピンがカム溝から離脱している状態を示す図である。
【００３０】
図５には、カムピン２２１が設けられたフォーカス筒２２の断面図と、カム溝２１３が設けられたカム筒２１の断面図が示されている。正常な状態では、この図５に示すように、カムピン２２１はカム溝２１３に係合している。ここで、レンズ鏡胴１１を繰り出した状態でカメラ１０を落下すると、図６に示すように、カムピン２２１がカム溝２１３から離脱して、カムピン２２１が、カム筒２１の、カム溝２１３以外の部分に乗り上げる状態になる。このような状態で写真撮影を行なうのでは、そのカメラ１０の持つ光学性能やズーミング動作を確実に保証することは困難である。そこで、本実施形態では、以下に説明するようにして、電動モータ４１８にさらに高い電圧を印加して、カム筒２１を光軸のまわりに正回転もしくは逆回転させてカムピン２２１をカム溝２１３に復帰させる。
【００３１】
図７は、本実施形態のカメラの回路ブロック図である。
【００３２】
このカメラ１０には、内蔵電池４００が実装されており、その内蔵電池４００からの電力は直接に制御部４０１に供給されるとともに、レギュレータ４０２により安定化されてＣＰＵ４０３に供給される。また、レギュレータ４０２の出力電圧はリセット回路４０４でモニタされる。このリセット回路４０４は、レギュレータ４０２の出力電圧が、ＣＰＵ４０３が正常に動作することのできる最低電圧まで低下すると、このカメラ１０の作動の暴走を防ぐためＣＰＵ４０３の動作を停止させる役割りを担っている。
【００３３】
ＣＰＵ４０３には、そのＣＰＵ４０３で実行される各種プログラムやデータが格納されたＥＥＰＲＯＭ４０５、内蔵電池４００の残存容量をモニタするためのバッテリチェック回路４０６、ファインダ内に各種表示を行なうためのファインダ内液晶表示板（ＬＣＤ）４０７、表示用ＬＥＤ４０８、ＡＦ（オートフォーカス）投光用ＬＥＤ４０９、カメラ１０の背面に備えられたズーム操作レバーの操作に応じてオン、オフするズーム操作スイッチ４１０、およびストロボ回路４１１が接続されており、ＣＰＵ４０３は、その接続先に応じ、指示や情報を受け取り、あるいは制御を行なっている。また、ＣＰＵ４０３には、そのＣＰＵ４０３が動作するのに必要となる基本クロックを生成するための水晶発振子４２０も接続されている。さらに、ＣＰＵ４０３には、前述した制御部４０１も接続されており、制御部４０１は、ＣＰＵ４０３の指示を受けて電動モータ４１３，４１７，４１８，４１９を駆動する。さらに、制御部４０１には、シャッタが開き始めたタイミングを捉えるシャッタセンサ４１４、被写界の明るさを捉えるＡＥ受光センサ４１５、および被写体までの距離を測定するＡＦ受光センサ４１６も接続されている。
【００３４】
ここで、制御部４０１は、シャッタ開閉駆動用の電動モータ４１３を駆動するためのシャッタ駆動ドライバ４０１ａを内蔵し、このシャッタ駆動ドライバ４０１ａは、ＣＰＵ４０３からの指令を受けてシャッタ開閉駆動用の電動モータ４１３を駆動し、シャッタセンサ４１４により検出されたシャッタ開のタイミングから、ＡＥ受光センサ４１５で検知された被写界の明るさの情報に応じたタイミングまで、シャッタを開いて閉じる。こうすることにより、ひと駒分の撮影が行なわれる。
【００３５】
また、制御部４０１には、フイルム給送用の電動モータ４１７、フォーカス動作用の電動モータ４１８、およびズーム動作用の電動モータ４１９を駆動するための、フイルム給送ドライバ４０１ｂ，フォーカス動作用ドライバ４０１ｃ，ズーム動作用ドライバ４０１ｄが内蔵されている。
【００３６】
フイルム給送ドライバ４０１ｂは、ＣＰＵ４０３からの指示に応じて電動モータ４１７を駆動し、例えば、ひと駒の撮影が終了すると写真フイルムをひと駒分巻き上げたり、最終駒まで撮影が終了すると写真フイルムをフイルムパトローネ（図示せず）内に巻き戻したりする。
【００３７】
また、フォーカス動作用ドライバ４０１ｃは、ＡＦ受光センサ４１６の測距結果に応じて電動モータ４１８を駆動し、ピント調節のためのフォーカス動作を行なう。さらに、フォーカス動作用ドライバ４０１ｃには、異常復帰駆動部４２２が接続されている。この異常復帰駆動部４２２には、電動モータ４１８の回転を検出するモータ回転検出センサ４２１（本発明にいうセンサの一例）が接続されている。
【００３８】
異常復帰駆動部４２２は、電動モータ４１８によりカム筒２１を介してズームレンズを駆動しているにも拘わらずモータ回転検出センサ４２１からの電動モータ４１８の回転が所定時間検出されなかった場合に、その電動モータ４１８にさらに高い電圧を、フォーカス動作用ドライバ４０１ｄを経由して印加しその電動モータ４１８を回転させる。
【００３９】
また、ズーム動作用ドライバ４０１ｄは、ズーム操作レバーの操作に応じたズーム操作スイッチ４１０のオン、オフがＣＰＵ４０３で検出されたことによるＣＰＵ４０３からの指示に応じて、電動モータ４１９を駆動し、ズーム鏡胴１１（図１，図２参照）をテレ側、あるいはワイド側に動作させる。
【００４０】
本実施形態のカメラ１０は、カメラ１０を落下して、図６に示すように、カムピン２２１がカム溝２１３から離脱した場合であっても、上記モータ回転検出センサ４２１で電動モータ４１８の回転が所定時間検出されなかった旨が異常復帰駆動部４２２に伝達され、その異常復帰駆動部４２２により電動モータ４１８にさらに高い電圧が印加されて、カム筒２１が光軸のまわりに回転してカムピン２２１がカム溝２１３に復帰する。従って、従来の、落下による衝撃力を吸収するためにレンズ鏡胴の後端部に後方延設部を形成したりその後方延設部と干渉しないように後群ユニットに凹部を形成する技術と比較し、コストアップを抑えたまま、落下によりカム溝２１３から離脱したカムピン２２１を復帰することができ、カメラ１０の持つ光学性能やズーミング動作が保証される。
【００４１】
【発明の効果】
以上説明したように、本発明によれば、カメラを落下した場合であっても、コストアップを抑えたまま、そのカメラの光学性能やズーミング動作を保証することができる。
【図面の簡単な説明】
【図１】本発明の一実施形態の、ズームレンズを搭載したカメラであって、そのズームレンズを支持するズーム鏡胴がカメラ本体に収納されている沈胴状態を示す斜視図である。
【図２】図１に示すカメラであって、ズーム鏡胴が最大限繰り出されている最大繰出し状態を示す斜視図である。
【図３】図１，図２に示すカメラのズーム鏡胴の分解斜視図である。
【図４】図１に示すカメラの、ズーム動作が行なわれた状態を示す断面図である。
【図５】カムピンがカム溝に係合している正常な状態を示す図である。
【図６】落下によりカムピンがカム溝から離脱している状態を示す図である。
【図７】本実施形態のカメラの回路ブロック図である。
【符号の説明】
３  前カバー
９  カメラ本体
１０  カメラ
１１  ズーム鏡胴
１２  ストロボ発光窓
１３  ファインダ対物窓
１４ａ  ＡＦ投光窓
１４ｂ  ＡＦ受光窓
１５  ＡＥ受光窓
１６  シャッタボタン
２０  固定筒
２１  カム筒
２２  フォーカス筒
２３  回転移動筒
２４  直進キーリング
２５  直進移動筒
２７  前群ユニット
２８  シャッタユニット
２９  レンズ銘板
３０  後群ユニット
２０１，２２２，２２３  嵌合回動溝
２０２，２２４，２４３  直進キー溝
２１１，２３１  被駆動ギア
２１２，２３２  回動連結部
２１３，２３３，２３４  カム溝
２２１，２５１，３０３  カムピン
２７１  前群レンズユニット
２７２  前群支持枠
３０１  後群レンズユニット
３０２  後群支持枠
４００  内蔵電池
４０１  制御部
４０１ａ  シャッタ駆動ドライバ
４０１ｂ  フイルム給送ドライバ
４０１ｃ  フォーカス動作用ドライバ
４０１ｄ  ズーム動作用ドライバ
４０２  レギュレータ
４０３  ＣＰＵ
４０４  リセット回路
４０５  ＥＥＰＲＯＭ
４０６  バッテリチェック
４０７  ファインダ内液晶表示板（ＬＣＤ）
４０８  表示用ＬＥＤ
４０９  ＡＦ（オートフォーカス）投光用ＬＥＤ
４１０  ズーム操作スイッチ
４１１  ストロボ回路
４１３，４１７，４１８，４１９  電動モータ
４１４  シャッタセンサ
４１５  ＡＥ受光センサ
４１６  ＡＦ受光センサ
４２０  水晶発振子
４２１  モータ回転検出センサ
４２２  異常復帰駆動部
【図１】
2004198613.tif 000003
【図２】
2004198613.tif 000004
【図３】
2004198613.tif 000005
【図４】
2004198613.tif 000006
【図５】
2004198613.tif 000007
【図６】
2004198613.tif 000008
【図７】
2004198613.tif 000009